(57)【要約】【課題】  特別なコードを準備することなく電力消費を抑制し得る消費電力抑制装置およびＡＣアダプタ装置の提供。【解決手段】  ＡＣアダプタに接続されたＤＣケーブルに延長するよう着脱自在に連結されるアタッチメント用ＤＣケーブルを備え、アタッチメント用ＤＣケーブルの一端側にＤＣケーブルに着脱自在な一端側接続端子が設けられ、アタッチメント用ＤＣケーブルの他端側に電子機器に接続される他端側接続端子が設けられ、アタッチメント用ＤＣケーブルの途中に電子機器に供給されるＤＣ電流を断続するスイッチが設けられている構成の消費電力抑制装置、および該消費電力抑制装置を備えたＡＣアダプタ装置。【選択図】  図１
2010187527.tif 000002
【特許請求の範囲】
【請求項１】
ＡＣアダプタに接続されたＤＣケーブルに延長するよう着脱自在に連結されるアタッチメント用ＤＣケーブルを備える消費電力抑制装置であって、
アタッチメント用ＤＣケーブルの一端側に前記ＤＣケーブルに着脱自在な一端側接続端子が設けられ、前記アタッチメント用ＤＣケーブルの他端側に電子機器に接続される他端側接続端子が設けられ、前記アタッチメント用ＤＣケーブルの途中に前記電子機器に供給されるＤＣ電流を断続するスイッチが設けられていることを特徴とする消費電力抑制装置。
【請求項２】
請求項１記載の消費電力抑制装置が、ＡＣアダプタに接続されたＤＣケーブルに着脱自在に設けられていることを特徴とするＡＣアダプタ装置。
【発明の詳細な説明】
【技術分野】
【０００１】
本発明は、消費電力抑制装置及びＡＣアダプタ装置に関する。
【背景技術】
【０００２】
ＡＣアダプタ装置として、下記特許文献１に示すように、ＡＣアダプタに電力消費を抑制できる消費電力抑制装置を備えた技術が提案されている。このＡＣアダプタ装置では、消費電力抑制装置に、ＡＣアダプタへの待機電力を一次電源側で遮断するための手元スイッチが、二次出力側接続線と平行して設けたリモコンコード上に設けられている。この構成によれば、手元スイッチを操作することでＡＣアダプタの交流回路そのものが切断され、ＡＣアダプタの待機電力の消費を抑えることができる。
【先行技術文献】
【特許文献】
【０００３】
【特許文献１】特開２０００―１２３９３０号公報
【発明の概要】
【発明が解決しようとする課題】
【０００４】
上記従来のＡＣアダプタ装置では、消費電力抑制装置の手元スイッチの操作により、ＡＣアダプタの交流回路を切断するようにしてＡＣアダプタの待機電力を抑える。しかしながら、消費電力抑制装置の手元スイッチの操作を、電子機器としてのパーソナルコンピュータ（以下パソコンと称す）等のオペレータの手元で行うには、二次出力側接続線とは別のリモコンコードを準備してこれに手元スイッチを接続しなければならないという構成上の課題があった。また、パソコンを机上に置きＡＣアダプタを床面に置くような場合で、手元スイッチをオペレータが手元で操作できるようにするためには、かなり長尺のリモコンコードを準備しなければならないという問題がある。
【０００５】
そこで本発明は、上記課題に鑑み、特別なコードを準備することなく電力消費を抑制し得る消費電力抑制装置及びＡＣアダプタ装置の提供を目的とする。
【課題を解決するための手段】
【０００６】
本発明は、ＡＣアダプタに接続されたＤＣケーブルに延長するよう着脱自在に連結されるアタッチメント用ＤＣケーブルを備える消費電力抑制装置であって、アタッチメント用ＤＣケーブルの一端側に前記ＤＣケーブルに着脱自在な一端側接続端子が設けられ、前記アタッチメント用ＤＣケーブルの他端側に電子機器に接続される他端側接続端子が設けられ、前記アタッチメント用ＤＣケーブルの途中部分に前記電子機器に供給されるＤＣ電流を断続するスイッチが設けられていることを特徴としている。
【０００７】
上記構成の消費電力抑制装置は、アタッチメント用ＤＣケーブルの一端側の一端側接続端子を、ＡＣアダプタに接続されたＤＣケーブルに接続し、アタッチメント用ＤＣケーブルの他端側の他端側接続端子を、電子機器（接続ポート）に接続することで、ＡＣアダプタから供給されるＤＣ電流がＣＤケーブル、アタッチメント用ＤＣケーブルを介して電子機器に供給されて、電子機器が駆動する。
【０００８】
アタッチメント用ＤＣケーブルそのものの途中部分に、ＤＣ電流の供給を断続するスイッチを設けているから、オペレータがスイッチのオン・オフ操作を行うことで、ＡＣアダプタに設けられているＡＣケーブルをＡＣ電源から抜くという面倒な作業を必要とすることなく電子機器への電力の供給を遮断することが可能であり、特別なコード（接続線）を要することなく装置が複雑化することを抑えたうえで、消費電力を抑制することが可能になる。
しかも、電子機器での作業が終了した場合や、長時間の中断で電子機器に電力を供給する必要がなくなった場合、ＡＣ電源に電子機器が接続されたままでは、電子機器そのものの電源を落としたとしても、これには待機電力が発生している。しかしながらこの待機電力は不要な電力である場合がほとんどであるから、電子機器そのものの電源を落とした後に、スイッチを操作して電子機器にＤＣ電流の供給がなされないようにすることで、電子機器の待機電力をなくすことが可能になる。
【０００９】
アタッチメント用ＤＣケーブルでは、電子機器に接続される他端側接続端子の形状が、用いる電子機器によって異なる場合があるが、本発明では、この他端側接続端子の形状如何に限らず、アタッチメント用ＤＣケーブルの途中部分に電子機器に供給されるＤＣ電流を断続するスイッチを設けている。
【００１０】
本発明のＡＣアダプタ装置は、上記に記載の消費電力抑制装置が、ＡＣアダプタに接続されたＤＣケーブルに着脱自在に設けられていることを特徴としている。
この構成のＡＣアダプタ装置によれば、消費電力抑制装置をＤＣケーブルに接続してスイッチを操作することで、上記した作用を奏する。
【発明の効果】
【００１１】
本発明の消費電力抑制装置によれば、電気機器へ供給するＤＣ電流を遮断するためのスイッチを、アタッチメント用ＤＣケーブルの途中部分に設けた構成としているから、消費電力を抑制するためのスイッチを設けるために特別なコードを必要としない。
【図面の簡単な説明】
【００１２】
【図１】本発明の実施形態を示すＡＣアダプタ装置の全体構成を示す使用状態兼用の斜視図
【図２】同じく消費電力抑制装置のスイッチ部分の構成を示す断面図
【図３】同じく別例のアタッチメント用ＤＣケーブルを用いた消費電力抑制装置の全体構成を示す斜視図
【発明を実施するための形態】
【００１３】
以下、本発明の実施形態に係るＡＣアダプタ装置を、図面に基づいて説明する。図１は本発明の実施形態を示すＡＣアダプタ装置の全体構成を示す斜視図である。
ＡＣアダプタ装置１は、ＡＣアダプタ２と、消費電力抑制装置３とから構成されている。ＡＣアダプタ２は一側面にＡＣケーブル（一次出力側接続）２０が接続され、他側面にＤＣケーブル（二次出力側接続線であって、以下「第一ＤＣケーブル」と称す）２１が接続されている。
第一ＤＣケーブル２１の先端部に第一オス型プラグ２１２が接続され、第一ＤＣケーブル２１の途中部分における第一オス型プラグ２１２側に、フェライトコア２１１が接続されている。この場合の接続とは、ＤＣケーブル２１を円筒状のフェライトコア２１１の内部に通過させ、巻回することである。
【００１４】
消費電力抑制装置３は、アタッチメント用ＤＣケーブル（以下「第二ＤＣケーブル」と称す）３０と、メス型プラグ３０１（一端側接続端子）と、アタッチメント用オス型プラグ（他端側接続端子であって、以下「第二オス型プラグ」と称す）３０２と、スイッチ３１とから構成されている。
【００１５】
メス型プラグ３０１は、第二ＤＣケーブル３０の一端側に設けられ、第一ＤＣケーブル２１の第一オス型プラグ２１２に着脱自在な構成となっている。
第二オス型プラグ３０２は、第二ＤＣケーブル３０の他端側に設けられ、ノート型のパソコン（電子機器の一例であり、以下単に「パソコン」と称す）４の接続ポート４ａ（例えば、パソコン４の本体背面隅部に配置されている）に、着脱自在な構成となっている。この場合、第二オス型プラグ３０２は、第二ＤＣケーブル３０の他端部から直角方向に向きを変えた先端端子３０２ａを有している。
【００１６】
図２は、スイッチ３１の断面図を示している。スイッチ３１は、第二ＤＣケーブル３０の途中部分に設けられてパソコン４に供給されるＤＣ電流を繋断（断続）するためのものである。スイッチ３１は、筐体３２と、操作片３３と、断続用電極３４とから構成されている。第二ＤＣケーブル３０の途中部分が切断され、該切断された端部どうしが筐体３２内で離間して配置され、各端部に互いに離間した端子電極３０ａ，３０ｂが接続されている。
【００１７】
操作片３３は、筐体３２から突出して第二ＤＣケーブル３０の長手方向に沿って移動できるよう筐体３２に入位置３３Ａと、切位置３３Ｂとに切替自在に支持されている。断続用電極３４は端子電極３０ａ，３０ｂどうしを電気的に接続するためのもので、操作片３３の下面に取付けられている。
【００１８】
上記構成のＡＣアダプタ装置１において、ＡＣアダプタ２の第一オス型プラグ２１２を、消費電力抑制装置３のメス型プラグ３０１に差込み、第二オス型プラグ３０２の先端端子３０２ａをパソコン４の接続ポート４ａに差込み、ＡＣケーブル２０の電源コンセントを、例えば家庭用のＡＣ電源にＡＣケーブル２０の電源プラグ２０ａを差込む。
【００１９】
消費電力抑制装置３におけるスイッチ３１の操作片３３を入位置３３Ａにすると、断続用電極３４を介して端子電極３０ａ，３０ｂどうしが電気的に接続され、ＤＣ電流がパソコン４に供給され得る状態となる。
【００２０】
ＤＣ電流がパソコン４に供給されるとき、第一ＤＣケーブル２１の途中部分にはフェライトコア２１１が接続されているから、ＤＣ電流に伴うノイズが除去され、バッテリーの寿命が短くなるのを抑制することができる。
【００２１】
パソコン４での入力作業が終了した場合や、長時間の中断でパソコン４を起動しておく必要がなくなった場合では、パソコン４をシャットダウンすることが一般的に行われる。ここで、ＡＣ電源にパソコン４が接続されたままでは、待機電力が発生している。
【００２２】
しかしながら、この待機電力は不要な電力である場合がほとんどである。そこで、例えばパソコン４をシャットダウンした後に、スイッチ３１の操作片３３を手元で操作して、操作片３３を切位置３３Ｂに切替え、スイッチ３１の回路をオフにする。これによって、パソコン４への待機電力を遮断することができる。
【００２３】
要するに、バッテリーを含め、パソコン４への電力の供給が不要な場合には、ＡＣ電源プラグ２０ａを引き抜く作業を要することなく、第二ＤＣケーブル３０の途中部分に設けたスイッチ３１の操作片３３を、切位置３３Ｂに切替えるという簡単な操作によって、不要な電力供給を抑えることができる。しかもスイッチ３１を第二ＤＣケーブル３０の途中部分に設けているから、スイッチ３１を設けるための特別な配線が不要である。
【００２４】
ところで一般的に、バッテリーはその容量を常に充分に満たしておくよりも、容量が減った時点で充分に充電するほうが、寿命が長くなる。そこで、本発明の実施形態における消費電力抑制装置３では、第二ＤＣケーブル３０の途中部分にスイッチ３１を設けてバッテリー（パソコン本体）へのＤＣ電流の供給を遮断できるよう構成している。すなわち、スイッチ３１（操作片３３）を、二次出力側接続線である第一ＤＣケーブル２１および第二ＤＣケーブル３０のうち、パソコン４に近い側である第二ＤＣケーブル３０の途中部分に設けている。
このため、スイッチ３１のオン・オフ操作をオペレータが手元の操作片３３の操作で行うことができ、第二オス型プラグ３０２をパソコン４の接続ポート４ａから抜く作業や、電源プラグ２０ａをＡＣ電源から抜くという作業を必要とせず、楽な操作でバッテリーの寿命を確保することができる。
【００２５】
図３は、他の形状を有する第二オス型プラグ３０２の先端端子３０２ｂの例を示した、消費電力抑制装置３の全体構成図である。この場合の先端端子３０２ｂの形状は、第二ＤＣケーブル３０の延長上に延びる形状である。要するに、本発明の消費電力抑制装置３は、第二オス型プラグ３０２の先端端子３０２ｂの形状如何に拘らず、適用可能である。例えば、第一オス型プラグと第二オス型プラグとは同じ形状である場合や、第一オス型プラグと第二オス型プラグとは異なる形状である場合もある。なお図３において、図１に示した構成と同様の機能を有する部材については同一の符号を付して、その説明を省略する。
【符号の説明】
【００２６】
１…アダプタ装置、３…消費電力抑制装置、４…パソコン、２０…ＡＣケーブル、２１…第一ＤＣケーブル、３０…第二ＤＣケーブル、３１…スイッチ、３３…操作片、３３Ａ…入位置、３３Ｂ…切位置
【図１】
2010187527.tif 000003
【図２】
2010187527.tif 000004
【図３】
2010187527.tif 000005